【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
電池の温度を調整する電池温調装置であって、
前記電池を構成する第１電池セル（１２ａ、１２ｃ）、前記電池を構成するとともに前記第１電池セルと電気的に接続された第２電池セル（１２ｂ、１２ｄ）、前記第１電池セルと熱媒体とを熱交換させる第１熱交換部（１５ａ、５０ａ）、および、前記第２電池セルと前記熱媒体とを熱交換させる第２熱交換部（１５ｂ、５０ｂ）を有する、電池パック（１０）と、
温度調整された前記熱媒体を前記第１熱交換部および前記第２熱交換部に流す熱媒体回路（２０、８０）と、を備え、
前記熱媒体は、液体または冷凍サイクルの冷媒であり、
前記第１電池セルと前記第２電池セルとのそれぞれの温度が前記熱媒体によって調整されていない非温調状態では、前記第１電池セルおよび前記第２電池セルの所定の使用条件時に、前記第１電池セルおよび前記第２電池セルの充放電による発熱にともなって、前記第１電池セルと前記第２電池セルとに温度差が生じ、
前記電池パックまたは前記熱媒体回路は、前記所定の使用条件時に、前記非温調状態のときと比較して、前記熱媒体による温度調整後の前記第１電池セルと前記第２電池セルとの温度差が小さくなるように、前記第１電池セルと前記熱媒体との間の第１伝熱量と、前記第２電池セルと前記熱媒体との間の第２伝熱量とを調整している伝熱量調整部を有し、
前記熱媒体回路は、
温度調整された前記熱媒体の一部を前記第１熱交換部に流入させる第１流路（２５、８６）と、
温度調整された前記熱媒体の他の一部を前記第２熱交換部に流入させる第２流路（２６、８７）と、
前記所定の使用条件時に、前記第１流路を流れる前記熱媒体の流量と前記第２流路を流れる前記熱媒体の流量とのそれぞれを調整している流量調整部（２２、８５）と、を有し、
前記伝熱量調整部は、前記流量調整部であり、
前記流量調整部は、前記第１流路と前記第２流路とのそれぞれに接続された１つの流量調整弁（２２、８５）によって構成され、
前記流量調整弁は、前記第１流路に連通する第１連通部（２２２）と、前記第２流路に連通する第２連通部（２２３）とを有し、
前記所定の使用条件時では、前記第１連通部を通過する前記熱媒体の第１流量と前記第２連通部を通過する前記熱媒体の第２流量との合計が、前記熱媒体回路の前記熱媒体の総流量であり、前記第１流量と前記第２流量とのうち少ない方の流量の割合が、前記熱媒体回路の前記熱媒体の総流量に対して５％以下かつ１％以上となるように、前記流量調整弁は、前記第１流量と前記第２流量とのそれぞれを調整し、
前記流量調整弁の流量調整精度は、前記総流量の±０．２％以内である、電池温調装置。
【請求項２】
電池の温度を調整する電池温調装置であって、
前記電池を構成する第１電池セル（１２ａ、１２ｃ）、前記電池を構成するとともに前記第１電池セルと電気的に接続された第２電池セル（１２ｂ、１２ｄ）、前記第１電池セルと熱媒体とを熱交換させる第１熱交換部（１５ａ、５０ａ）、および、前記第２電池セルと前記熱媒体とを熱交換させる第２熱交換部（１５ｂ、５０ｂ）を有する、電池パック（１０）と、
温度調整された前記熱媒体を前記第１熱交換部および前記第２熱交換部に流す熱媒体回路（２０、８０）と、を備え、
前記熱媒体は、液体または冷凍サイクルの冷媒であり、
前記第１電池セルと前記第２電池セルとのそれぞれの温度が前記熱媒体によって調整されていない非温調状態では、前記第１電池セルおよび前記第２電池セルの所定の使用条件時に、前記第１電池セルおよび前記第２電池セルの充放電による発熱にともなって、前記第１電池セルと前記第２電池セルとに温度差が生じ、
前記電池パックまたは前記熱媒体回路は、前記所定の使用条件時に、前記非温調状態のときと比較して、前記熱媒体による温度調整後の前記第１電池セルと前記第２電池セルとの温度差が小さくなるように、前記第１電池セルと前記熱媒体との間の第１伝熱量と、前記第２電池セルと前記熱媒体との間の第２伝熱量とを調整している伝熱量調整部を有し、
前記電池パックは、前記第１電池セルと前記第１熱交換部との間の伝熱に主として寄与する前記第１電池セルの表面（Ｓ１）の面積である第１伝熱面積と、前記第２電池セルと前記第２熱交換部との間の伝熱に主として寄与する前記第２電池セルの表面（Ｓ２）の面積である第２伝熱面積とを異なる大きさに調整している伝熱面積調整部（６２ａ、６２ｂ）を有し、
前記伝熱量調整部は、前記伝熱面積調整部である、電池温調装置。
【請求項３】
電池の温度を調整する電池温調装置であって、
前記電池を構成する第１電池セル（１２ａ、１２ｃ）、前記電池を構成するとともに前記第１電池セルと電気的に接続された第２電池セル（１２ｂ、１２ｄ）、前記第１電池セルと熱媒体とを熱交換させる第１熱交換部（１５ａ、５０ａ）、および、前記第２電池セルと前記熱媒体とを熱交換させる第２熱交換部（１５ｂ、５０ｂ）を有する、電池パック（１０）と、
温度調整された前記熱媒体を前記第１熱交換部および前記第２熱交換部に流す熱媒体回路（２０、８０）と、を備え、
前記熱媒体は、液体または冷凍サイクルの冷媒であり、
前記第１電池セルと前記第２電池セルとのそれぞれの温度が前記熱媒体によって調整されていない非温調状態では、前記第１電池セルおよび前記第２電池セルの所定の使用条件時に、前記第１電池セルおよび前記第２電池セルの充放電による発熱にともなって、前記第１電池セルと前記第２電池セルとに温度差が生じ、
前記電池パックまたは前記熱媒体回路は、前記所定の使用条件時に、前記非温調状態のときと比較して、前記熱媒体による温度調整後の前記第１電池セルと前記第２電池セルとの温度差が小さくなるように、前記第１電池セルと前記熱媒体との間の第１伝熱量と、前記第２電池セルと前記熱媒体との間の第２伝熱量とを調整している伝熱量調整部を有し、
前記熱媒体回路は、
温度調整された前記熱媒体の一部を前記第１熱交換部に流入させる第１流路（２５、８６）と、
温度調整された前記熱媒体の他の一部を前記第２熱交換部に流入させる第２流路（２６、８７）と、
前記所定の使用条件時に、前記第１流路を流れる前記熱媒体の第１流量と前記第２流路を流れる前記熱媒体の第２流量とのそれぞれを調整している流量調整部（２２、８５）と、を有し、
前記電池パックは、前記第１電池セルと前記第１熱交換部との間の伝熱に主として寄与する前記第１電池セルの表面（Ｓ１）の面積である第１伝熱面積と、前記第２電池セルと前記第２熱交換部との間の伝熱に主として寄与する前記第２電池セルの表面（Ｓ２）の面積である第２伝熱面積とを異なる大きさに調整している伝熱面積調整部（６２ａ、６２ｂ）を有し、
前記伝熱量調整部は、前記流量調整部および前記伝熱面積調整部である、電池温調装置。
【請求項４】
電池の温度を調整する電池温調装置であって、
前記電池を構成する第１電池セル（１２ａ、１２ｃ）、前記電池を構成するとともに前記第１電池セルと電気的に接続された第２電池セル（１２ｂ、１２ｄ）、前記第１電池セルと熱媒体とを熱交換させる第１熱交換部（１５ａ、５０ａ）、および、前記第２電池セルと前記熱媒体とを熱交換させる第２熱交換部（１５ｂ、５０ｂ）を有する、電池パック（１０）と、
温度調整された前記熱媒体を前記第１熱交換部および前記第２熱交換部に流す熱媒体回路（２０、８０）と、を備え、
前記熱媒体は、液体または冷凍サイクルの冷媒であり、
前記第１電池セルと前記第２電池セルとのそれぞれの温度が前記熱媒体によって調整されていない非温調状態では、前記第１電池セルおよび前記第２電池セルの所定の使用条件時に、前記第１電池セルおよび前記第２電池セルの充放電による発熱にともなって、前記第１電池セルと前記第２電池セルとに温度差が生じ、
前記電池パックまたは前記熱媒体回路は、前記所定の使用条件時に、前記非温調状態のときと比較して、前記熱媒体による温度調整後の前記第１電池セルと前記第２電池セルとの温度差が小さくなるように、前記第１電池セルと前記熱媒体との間の第１伝熱量と、前記第２電池セルと前記熱媒体との間の第２伝熱量とを調整している伝熱量調整部を有し、
前記電池パックは、前記第１熱交換部における前記熱媒体との第１接触面積と、前記第２熱交換部における前記熱媒体との第２接触面積とを異なる大きさに調整している接触面積調整部（１６１ａ、１６１ｂ）を有し、
前記伝熱量調整部は、前記接触面積調整部である、電池温調装置。
【請求項５】
電池の温度を調整する電池温調装置であって、
前記電池を構成する第１電池セル（１２ａ、１２ｃ）、前記電池を構成するとともに前記第１電池セルと電気的に接続された第２電池セル（１２ｂ、１２ｄ）、前記第１電池セルと熱媒体とを熱交換させる第１熱交換部（１５ａ、５０ａ）、および、前記第２電池セルと前記熱媒体とを熱交換させる第２熱交換部（１５ｂ、５０ｂ）を有する、電池パック（１０）と、
温度調整された前記熱媒体を前記第１熱交換部および前記第２熱交換部に流す熱媒体回路（２０、８０）と、を備え、
前記熱媒体は、液体または冷凍サイクルの冷媒であり、
前記第１電池セルと前記第２電池セルとのそれぞれの温度が前記熱媒体によって調整されていない非温調状態では、前記第１電池セルおよび前記第２電池セルの所定の使用条件時に、前記第１電池セルおよび前記第２電池セルの充放電による発熱にともなって、前記第１電池セルと前記第２電池セルとに温度差が生じ、
前記電池パックまたは前記熱媒体回路は、前記所定の使用条件時に、前記非温調状態のときと比較して、前記熱媒体による温度調整後の前記第１電池セルと前記第２電池セルとの温度差が小さくなるように、前記第１電池セルと前記熱媒体との間の第１伝熱量と、前記第２電池セルと前記熱媒体との間の第２伝熱量とを調整している伝熱量調整部を有し、
前記熱媒体回路は、
温度調整された前記熱媒体の一部を前記第１熱交換部に流入させる第１流路（２５、８６）と、
温度調整された前記熱媒体の他の一部を前記第２熱交換部に流入させる第２流路（２６、８７）と、
前所定の使用条件時に、記第１流路を流れる前記熱媒体の第１流量と前記第２流路を流れる前記熱媒体の第２流量とのそれぞれを調整している流量調整部（２２、８５）と、を有し、
前記電池パックは、前記第１熱交換部における前記熱媒体との第１接触面積と、前記第２熱交換部における前記熱媒体との第２接触面積とを異なる大きさに調整している接触面積調整部（１６１ａ、１６１ｂ）を有し、
前記伝熱量調整部は、前記流量調整部および前記接触面積調整部である、電池温調装置。
【請求項６】
電池の温度を調整する電池温調装置であって、
前記電池を構成する第１電池セル（１２ａ、１２ｃ）、前記電池を構成するとともに前記第１電池セルと電気的に接続された第２電池セル（１２ｂ、１２ｄ）、前記第１電池セルと熱媒体とを熱交換させる第１熱交換部（１５ａ、５０ａ）、および、前記第２電池セルと前記熱媒体とを熱交換させる第２熱交換部（１５ｂ、５０ｂ）を有する、電池パック（１０）と、
温度調整された前記熱媒体を前記第１熱交換部および前記第２熱交換部に流す熱媒体回路（２０、８０）と、を備え、
前記熱媒体は、液体または冷凍サイクルの冷媒であり、
前記第１電池セルと前記第２電池セルとのそれぞれの温度が前記熱媒体によって調整されていない非温調状態では、前記第１電池セルおよび前記第２電池セルの所定の使用条件時に、前記第１電池セルおよび前記第２電池セルの充放電による発熱にともなって、前記第１電池セルと前記第２電池セルとに温度差が生じ、
前記電池パックまたは前記熱媒体回路は、前記所定の使用条件時に、前記非温調状態のときと比較して、前記熱媒体による温度調整後の前記第１電池セルと前記第２電池セルとの温度差が小さくなるように、前記第１電池セルと前記熱媒体との間の第１伝熱量と、前記第２電池セルと前記熱媒体との間の第２伝熱量とを調整している伝熱量調整部を有し、
前記熱媒体回路は、前記所定の使用条件時に、前記第１熱交換部に流入する前記熱媒体と前記第２熱交換部に流入する前記熱媒体とに温度差を形成している温度差形成部（７２）を有し、
前記伝熱量調整部は、前記温度差形成部であり、
前記温度差形成部は、前記第１熱交換部と前記第２熱交換部とが並列に接続された前記熱媒体回路の第１状態と、前記第１熱交換部と前記第２熱交換部とが直列に接続された前記熱媒体回路の第２状態とを切り替える切替弁（７２）である、電池温調装置。
【請求項７】
電池の温度を調整する電池温調装置であって、
前記電池を構成する第１電池セル（１２ａ、１２ｃ）、前記電池を構成するとともに前記第１電池セルと電気的に接続された第２電池セル（１２ｂ、１２ｄ）、前記第１電池セルと熱媒体とを熱交換させる第１熱交換部（１５ａ、５０ａ）、および、前記第２電池セルと前記熱媒体とを熱交換させる第２熱交換部（１５ｂ、５０ｂ）を有する、電池パック（１０）と、
温度調整された前記熱媒体を前記第１熱交換部および前記第２熱交換部に流す熱媒体回路（２０、８０）と、を備え、
前記熱媒体は、液体または冷凍サイクルの冷媒であり、
前記第１電池セルと前記第２電池セルとのそれぞれの温度が前記熱媒体によって調整されていない非温調状態では、前記第１電池セルおよび前記第２電池セルの所定の使用条件時に、前記第１電池セルおよび前記第２電池セルの充放電による発熱にともなって、前記第１電池セルと前記第２電池セルとに温度差が生じ、
前記電池パックまたは前記熱媒体回路は、前記所定の使用条件時に、前記非温調状態のときと比較して、前記熱媒体による温度調整後の前記第１電池セルと前記第２電池セルとの温度差が小さくなるように、前記第１電池セルと前記熱媒体との間の第１伝熱量と、前記第２電池セルと前記熱媒体との間の第２伝熱量とを調整している伝熱量調整部を有し、
前記熱媒体回路は、
温度調整された前記熱媒体の一部を前記第１熱交換部に流入させる第１流路（２５、８６）と、
温度調整された前記熱媒体の他の一部を前記第２熱交換部に流入させる第２流路（２６、８７）と、
前記所定の使用条件時に、前記第１流路を流れる前記熱媒体の第１流量と前記第２流路を流れる前記熱媒体の第２流量とのそれぞれを調整している流量調整部（２２、８５）と、
前記所定の使用条件時に、前記第１熱交換部に流入する前記熱媒体と前記第２熱交換部に流入する前記熱媒体とに温度差を形成している温度差形成部（７２）と、を有し、
前記伝熱量調整部は、前記流量調整部および前記温度差形成部であり、
前記温度差形成部は、前記第１熱交換部と前記第２熱交換部とが並列に接続された前記熱媒体回路の第１状態と、前記第１熱交換部と前記第２熱交換部とが直列に接続された前記熱媒体回路の第２状態とを切り替える切替弁（７２）である、電池温調装置。
【手続補正２】
【補正対象書類名】明細書
【補正対象項目名】０００７
【補正方法】変更
【補正の内容】
【０００７】
上記目的を達成するため、請求項１〜７に記載の発明によれば、
電池の温度を調整する電池温調装置は、
電池を構成する第１電池セル（１２ａ、１２ｃ）、電池を構成するとともに第１電池セルと電気的に接続された第２電池セル（１２ｂ、１２ｄ）、第１電池セルと熱媒体とを熱交換させる第１熱交換部（１５ａ、５０ａ）、および、第２電池セルと熱媒体とを熱交換させる第２熱交換部（１５ｂ、５０ｂ）を有する、電池パック（１０）と、
温度調整された熱媒体を第１熱交換部および第２熱交換部に流す熱媒体回路（２０、８０）と、を備え、
熱媒体は、液体または冷凍サイクルの冷媒であり、
第１電池セルと第２電池セルとのそれぞれの温度が熱媒体によって調整されていない非温調状態では、第１電池セルおよび第２電池セルの所定の使用条件時に、第１電池セルおよび第２電池セルの充放電による発熱にともなって、第１電池セルと第２電池セルとに温度差が生じ、
電池パックまたは熱媒体回路は、所定の使用条件時に、非温調状態のときと比較して、熱媒体による温度調整後の第１電池セルと第２電池セルとの温度差が小さくなるように、第１電池セルと熱媒体との間の第１伝熱量と、第２電池セルと熱媒体との間の第２伝熱量とを調整している伝熱量調整部を有する。
【手続補正３】
【補正対象書類名】明細書
【補正対象項目名】０００８
【補正方法】変更
【補正の内容】
【０００８】
請求項１〜７に記載の発明によれば、所定の使用条件時の第１電池セルと第２電池セルとの温度差が小さくなるように、伝熱量調整部によって第１伝熱量と第２伝熱量とが調整されている。このため、熱媒体による温度調整後の第１電池セルの温度と第２電池セルの温度とを同じ温度に近づけることができる。